(57)【要約】【課題】本発明は、輸送保護装置を取り外すときの作業効率を向上させることができるとともに、部品の種類を減少させることができる片持ち軸回転電動機を得ることを目的とするものである。【解決手段】電動機本体１は、ケース２と、駆動側の端部がケース２外へ突出し反駆動側の端部がケース２内に収容される回転軸３を有している。ケース２は、円筒形の固定子枠４、固定子枠４の駆動側の端部に取り付けられたフランジ５、及び固定子枠４の反駆動側の端部に取り付けられたエンドブラケット６により構成されている。フランジ５には、電動機本体１の輸送時に、輸送保護装置が取り付けられる。輸送保護装置は、一対の固定板１１を有している。一対の固定板１１は、互いに同一形状であり、回転軸３の軸芯を中心に互いに点対称となっている。【選択図】図１
2007325426.tif 000002
【特許請求の範囲】
【請求項１】
回転機器接続用のフランジを有するケースと、上記ケース内の反フランジ側に設けられた軸受と、上記ケース内の上記軸受と上記フランジとの間に固定された固定子と、上記軸受に一端部を支持され、上記ケース外に突出する他端部に上記回転機器へ回転力を送るための軸継手が設けられた回転軸と、上記回転軸の上記固定子に対応する位置に設けられた回転子とを有する電動機本体、及び
一端部が上記フランジにそれぞれ取り付けられ、互いに協同して上記回転軸の反軸受側を保持するための保持溝が他端部にそれぞれ設けられた一対の固定板を有する輸送保護装置
を備えていることを特徴とする片持ち軸回転電動機。
【請求項２】
回転機器接続用のフランジを有するケースと、上記ケース内の反フランジ側に設けられた軸受と、上記ケース内の上記軸受と上記フランジとの間に固定された固定子と、上記軸受に一端部を支持され、上記ケース外に突出する他端部に上記回転機器へ回転力を送るための軸継手が設けられた回転軸と、上記回転軸の上記固定子に対応する位置に設けられた回転子とを有する電動機本体、及び
両端部が上記フランジにそれぞれ取り付けられ、互いに協同して上記回転軸の反軸受側を保持するための保持溝が中間部にそれぞれ設けられた一対の固定板を有する輸送保護装置
を備えていることを特徴とする片持ち軸回転電動機。
【請求項３】
上記一対の固定板は、互いに同一形状であり、
上記回転軸の上記回転子と上記軸継手との間には、上記一対の保持溝の上記軸受側の周縁部とそれぞれ当接するための当接面が設けられ、
上記回転軸の軸方向への移動は、上記一対の保持溝の上記軸受側の周縁部と上記当接面との当接により規制されていることを特徴とする請求項１又は請求項２に記載の片持ち軸回転電動機。
【請求項４】
回転機器接続用のフランジを有するケースと、上記ケース内の反フランジ側に設けられた軸受と、上記ケース内の上記軸受と上記フランジとの間に固定された固定子と、上記軸受に一端部を支持され、上記ケース外に突出する他端部に上記回転機器へ回転力を送るための軸継手が設けられた回転軸と、上記回転軸の上記固定子に対応する位置に設けられた回転子とを有する電動機本体、及び
両端部が上記フランジに取り付けられ、中間部に上記回転軸を保持するためのＵ字状の保持溝が設けられた固定板を有する輸送保護装置
を備え、
上記固定板には、上記回転軸の径方向への移動を規制するための規制位置と、上記回転軸への規制を解除する規制解除位置との間を突出板が変位可能な突出変位部が設けられ、
上記回転軸の反軸受側は、上記突出板と上記保持溝とにより保持されていることを特徴とする片持ち軸回転電動機。
【請求項５】
回転機器接続用のフランジを有するケースと、上記ケース内の反フランジ側に設けられた軸受と、上記ケース内の上記軸受と上記フランジとの間に固定された固定子と、上記軸受に一端部を支持され、上記ケース外に突出する他端部に上記回転機器へ回転力を送るための軸継手が設けられた回転軸と、上記回転軸の上記固定子に対応する位置に設けられた回転子とを有する電動機本体、及び
一端部が上記フランジにそれぞれ取り付けられ、互いに同一形状である一対の固定板を有する輸送保護装置
を備え、
上記回転軸の上記回転子と上記軸継手との間には、上記一対の固定板の他端部にそれぞれ嵌合される一対の嵌合溝が設けられており、
上記回転軸の反軸受側は、上記一対の固定板の他端部と上記一対の嵌合溝との嵌合により保持されていることを特徴とする片持ち軸回転電動機。
【請求項６】
上記固定板の上記回転軸との当接部には、輸送時の上記回転軸への衝撃を緩和するための緩衝材が設けられていることを特徴とする請求項１から請求項５までのいずれか１項に記載の片持ち軸回転電動機。
【請求項７】
上記フランジには、上記輸送保護装置が螺着部材により取り付けられるためのねじ孔が上記軸継手の上記回転軸の軸方向に沿う投影面よりも外側になるように設けられていることを特徴とする請求項１から請求項６までのいずれか１項に記載の片持ち軸回転電動機。
【発明の詳細な説明】
【技術分野】
【０００１】
この発明は、例えばエレベータの巻上機のモータに用いられ、回転軸の反駆動側端部のみが軸受により支持されている片持ち軸回転電動機に関するものである。
【背景技術】
【０００２】
従来の片持ち軸回転電動機では、フランジに取り付けられる固定板、及び固定板の中間部に取り付けられる押さえ板からなる輸送時保護装置によって、輸送時に回転軸の反軸受側（出力側）が保持される（例えば、特許文献１参照）。
【０００３】
【特許文献１】特開２０００−３５０４１６号公報
【発明の開示】
【発明が解決しようとする課題】
【０００４】
上記のような従来の片持ち軸回転電動機では、押さえ板とカップリングとの間の間隔が狭いので、固定板から押さえ板を取り外しにくくなっており、輸送時保護装置を取り外すときの作業効率が低下していた。また、固定板と押さえ板との２種類の板を用意する必要があるため、部品の種類が増加していた。
【０００５】
この発明は、上記のような課題を解決するためになされたものであり、輸送保護装置を取り外すときの作業効率を向上させることができるとともに、部品の種類を減少させることができる片持ち軸回転電動機を得ることを目的とする。
【課題を解決するための手段】
【０００６】
この発明に係る片持ち軸回転電動機は、回転機器接続用のフランジを有するケースと、ケース内の反フランジ側に設けられた軸受と、ケース内の軸受とフランジとの間に固定された固定子と、軸受に一端部を支持され、ケース外に突出する他端部に回転機器へ回転力を送るための軸継手が設けられた回転軸と、回転軸の固定子に対応する位置に設けられた回転子とを有する電動機本体、及び一端部がフランジにそれぞれ取り付けられ、互いに協同して回転軸の反軸受側を保持するための保持溝が他端部にそれぞれ設けられた一対の固定板を有する輸送保護装置を備えている。
【発明の効果】
【０００７】
この発明の片持ち軸回転電動機は、一端部がフランジにそれぞれ取り付けられ、他端部に回転軸を互いに協同して保持するための保持溝がそれぞれ設けられた一対の固定板を有する輸送保護装置によって回転軸が保持されるので、従来の片持ち軸回転電動機のような押さえ板を取り付ける必要がなく、輸送保護装置を取り外すときの作業効率を向上させることができるとともに、部品の種類を減少させることができる。
【発明を実施するための最良の形態】
【０００８】
以下、この発明を実施するための最良の形態について、図面を参照して説明する。
実施の形態１．
図１は、この発明の実施の形態１による片持ち軸回転電動機を示す断面図である。図２は、図１のＩＩ−ＩＩ線に沿う断面図である。
図において、電動機本体１は、ケース２と、駆動側の端部がケース２外へ突出し反駆動側の端部がケース２内に収容される回転軸３とを有している。ケース２は、円筒形の固定子枠４、固定子枠４の駆動側の端部に取り付けられたフランジ５、及び固定子枠４の反駆動側の端部に取り付けられたエンドブラケット６により構成されている。
【０００９】
固定子枠４には、鉄心である固定子７が固定されている。フランジ５には、回転機器（図示せず）に当接するためのフランジ当接面５ａが設けられている。ここで、エレベータの巻上機のモータに電動機本体１を適用する場合、回転機器は例えば減速機である。また、フランジ５には、回転機器に接続するための複数のねじ孔５ｂが設けられている。エンドブラケット６には、回転軸３の反駆動側の端部を支持する軸受８が取り付けられている。
【００１０】
回転軸３の駆動側の端部には、回転機器へ回転力を送るための軸継手としてのカップリング１０が設けられている。また、回転軸３の中間部の固定子７に対応する位置には、鉄心である回転子９が固定子７に対向するように設けられている。さらに、回転軸３のカップリング１０と回転子９との間には、軸当接面３ａが設けられている。軸当接面３ａは、フランジ当接面５ａを含む平面と面一に形成されている。
【００１１】
フランジ５には、電動機本体１の輸送時に、輸送保護装置が取り付けられる。輸送保護装置は、一対の固定板１１を有している。一対の固定板１１は、互いに同一形状であり、回転軸３の軸芯を中心に互いに点対称となっている。また、固定板１１の一端部には、螺着部材としてのボルト１２に挿通される挿通孔１１ｂが設けられている。さらに、固定板１１は、ボルト１２が挿通孔１１ｂを貫通してねじ孔５ｂに螺着されることにより、フランジ当接面５ａに取り付けられている。ここで、フランジ５のねじ孔５ｂは、カップリング１０の回転軸３の軸方向に沿う投影面よりもほぼ外側に配置されている。
【００１２】
さらにまた、各固定板１１の他端部には、半円状（円弧状）の保持溝１１ａがそれぞれ設けられている。一対の保持溝１１ａは、互いに組み合わさることにより、回転軸３を協同して保持する保持孔１１ｃを形成している。従って、一対の固定板１１は、互いに協同して回転軸３の反軸受８側を保持しており、回転軸３の径方向への移動は、保持孔１１ｃと回転軸３との当接により規制されている。
【００１３】
また、保持孔１１ｃの軸受８側の周縁部は、軸当接面３ａに当接されており、回転軸３の軸方向への移動は、保持孔１１ｃの軸受８側の周縁部と軸当接面３ａとの当接により規制されている。
【００１４】
上記のような片持ち軸回転電動機では、一端部がフランジにそれぞれ取り付けられ、他端部に回転軸を協同して保持するための保持溝がそれぞれ設けられた一対の固定板を有する輸送保護装置によって回転軸の反軸受側が保持されているので、従来の片持ち軸回転電動機のような押さえ板を取り付ける必要がなく、輸送保護装置を取り外すときの作業効率を向上させることができるとともに、部品の種類を減少させることができる。
【００１５】
また、一対の固定板が互いに同一形状なので、輸送保護装置の生産効率を向上させることができる。
【００１６】
さらに、カップリングの回転軸の軸方向に沿う投影面よりもほぼ外側にフランジのねじ孔が配置されているので、電動機本体と輸送保護装置との着脱作業時にカップリングによる干渉を受けにくくなっていることにより、容易に一対の固定板とフランジとの着脱を行うことができ、輸送保護装置を取り外すときの作業効率をさらに向上させることができる。
【００１７】
実施の形態２．
次に、この発明の実施の形態２について説明する。実施の形態１の輸送保護装置では、フランジ５に一端部をそれぞれ取り付けられた一対の固定板１１を有していたが、実施の形態２の輸送保護装置では、フランジ５に両端部をそれぞれ取り付けられた一対の固定板２０を有している。図３は、実施の形態２による片持ち軸回転電動機の一部を拡大して示す側面図である。図４は、図３の固定板２０を示す正面図である。図５は、図４の固定板２０の組み合わせ状態を示す正面図である。
【００１８】
図において、一対の固定板２０は、回転軸３の軸方向に互いに当接するように配置されている。また、一対の固定板２０は、互いに同一形状である。さらに、固定板２０の両端部には、Ｕ字状の取付溝２０ａ，２０ｂがそれぞれ設けられている。取付溝２０ａ，２０ｂの内壁は、湾曲部と一対の平面部とをそれぞれ有している。一対の取付溝２０ａ，２０ｂは、互いの湾曲部同士の組み合わせにより、フランジ５に取り付けられるための（ボルト１２に挿通されるための）孔である取付孔２０ｃ，２０ｄをそれぞれ形成している。
【００１９】
各固定板２０の中央部には、Ｕ字状の保持溝２０ｅがそれぞれ設けられている。保持溝２０ｅの内壁は、一対の平面部と湾曲部とを有している。また、一対の保持溝２０ｅは、互いの湾曲部同士の組み合わせにより、互いに協同して回転軸３を保持するための保持孔２０ｆを形成する。従って、一対の固定板２０は、回転軸３の反軸受８側を互いに協同して保持しており、回転軸３の径方向への移動は、保持孔２０ｆと回転軸３との当接により規制されている。また、回転軸３の軸方向への移動は、保持孔２０ｆの軸受８側の周縁部と軸当接面３ａとの当接により規制されている。他の構成は実施の形態１と同様である。
【００２０】
上記のような片持ち軸回転電動機では、両端部がフランジにそれぞれ取り付けられ、互いに協同して回転軸を保持するための保持溝が中間部にそれぞれ設けられた一対の固定板を有する輸送保護装置によって回転軸の反軸受側が保持されているので、従来の片持ち軸回転電動機のような押さえ板を取り付ける必要がなく、輸送保護装置を取り外すときの作業効率を向上させることができるとともに、部品の種類を減少させることができる。
【００２１】
また、フランジのねじ孔に羅着されたボルトを緩めることにより輸送保護装置を取り外し可能なので、輸送保護装置を取り外すときの作業効率をさらに向上させることができる。
【００２２】
実施の形態３．
次に、この発明の実施の形態３について説明する。実施の形態２の輸送保護装置では、一対の固定板２０を有していたが、実施の形態３の輸送保護装置では、１枚の固定板３０を有している。固定板３０の両端部は、フランジ５に取り付けられている。図６は、実施の形態３による片持ち軸回転電動機の一部を拡大して示す側面図である。図７は、図６のＶＩＩ−ＶＩＩ線に沿う断面図である。
【００２３】
図において、固定板３０の中間部には、Ｕ字状の保持溝３０ａが設けられている。保持溝３０ａの内壁は、一対の平面部と湾曲部とを有している。また、固定板３０の中間部の保持溝３０ａの近傍には、突出変位部（ストッパ）３１がねじ（図示せず）により取り付けられている。突出変位部３１は、突出変位部本体３２と、突出変位部本体３２内に収容されたばね３３、一端部が突出変位部本体３２内に収容され他端部が突出変位部本体３２外に突出する突出板３４とを有している。
【００２４】
突出板３４の一端部は、ばね３３からばね力を受ける。突出板３４の他端部である突出部３４ａは、ばね３３からのばね力により、回転軸３の径方向への移動を規制するための規制位置に突出している。また、突出部３４ａは、ばね力に抗する外部からの力により、回転軸３への規制を解除するための規制解除位置へ変位可能となっている。さらに、突出部３４ａは、規制位置のときに、回転軸３の側面の一部と当接する。
【００２５】
従って、回転軸３の反軸受８側は、固定板３０と突出部３４ａとにより保持されており、回転軸３の径方向への移動は、保持溝３０ａ及び突出部３４ａと回転軸３との当接により規制されている。また、回転軸３の軸方向への移動は、保持溝３０ａの軸受８側の周縁部と軸当接面３ａとの当接により規制されている。なお、突出部３４ａが規制解除位置に変位され、回転軸３の側面の一部と突出部３４ａとの当接が解除されることにより、輸送保護装置が電動機本体１から取り外し可能となる。
【００２６】
上記のような片持ち軸回転電動機では、固定板と突出部とにより回転軸の反軸受側が保持されているので、従来の片持ち軸回転電動機のような押さえ板を取り付ける必要がなく、輸送保護装置を取り外すときの作業効率を向上させることができる。
【００２７】
また、輸送保護装置がユニット化（一体構造化）されているので、輸送保護装置を電動機本体から取り外し後、輸送保護装置を工場（輸送元）に返却する場合に、輸送保護装置の回収作業を容易にすることができ、輸送保護装置の紛失を低減させることができる。
【００２８】
実施の形態４．
次に、この発明の実施の形態４について説明する。実施の形態１の電動機本体１では、軸当接面３ａが設けられた回転軸３を有していたが、実施の形態４の電動機本体１は、一対の嵌合溝４０ａが設けられた回転軸４０を有している。また、実施の形態１の輸送保護装置では、保持溝１１ａが先端部（反取付側の端部）にそれぞれ設けられた一対の固定板１１を有していたが、実施の形態４の輸送保護装置では、先端面の形状がそれぞれ平面状である一対の固定板４１を有している。
【００２９】
図８は、実施の形態４による片持ち軸回転電動機の一部を拡大して示す側面図である。図９は、図８のＩＸ−ＩＸ線に沿う断面図である。図において、嵌合溝４０ａは、フランジ当接面５ａを含む平面と面一な領域を含むように形成されている。各固定板４１の先端部は、各嵌合溝４０ａにそれぞれ嵌合されている。従って、回転軸３の反軸受８側は、嵌合溝４０ａと固定板４１の先端部との嵌合により保持されており、嵌合溝４０ａと固定板４１の先端部との嵌合により、回転軸３の軸方向及び径方向への移動が規制されている。他の構成は実施の形態１と同様である。
【００３０】
上記のような片持ち軸回転電動機では、嵌合溝と固定板の先端部との嵌合によって回転軸の反軸受側が保持されているので、従来の片持ち軸回転電動機のような押さえ板を取り付ける必要がなく、輸送保護装置を取り外すときの作業効率を向上させることができる。
【００３１】
また、回転軸に一対の嵌合溝が設けられているので、各嵌合溝の間の回転軸毎の寸法を一定とすることにより、回転軸の径寸法に係わらず固定板の共通化を図ることができる。
【００３２】
さらに、固定板の先端面の形状が平面状なので、固定板を容易に生産可能となることにより、固定板の生産コストを低減させることができる。
【００３３】
実施の形態５．
次に、この発明の実施の形態５について説明する。図１０は、実施の形態５による固定板４１の一部を拡大して示す側面図である。図において、固定板４１の先端部（回転軸３との当接部）には、輸送時の回転軸４０と固定板４１との当接による回転軸４０への衝撃を緩和するための緩衝材（弾性体；例えばゴム）５０が取り付けられている。他の構成は実施の形態４と同様である。
【００３４】
上記のような片持ち軸回転電動機では、電動機本体を輸送する場合に、回転軸の先端部に取り付けられた緩衝材によって回転軸と固定板との当接による回転軸への衝撃を緩和するので、輸送時の衝撃による回転軸の損傷を低減させることができる。
【００３５】
また、回転軸と緩衝材との当接によって緩衝材から圧力を受けているので、輸送時の回転軸の回転を規制することができる。
【００３６】
実施の形態６．
次に、この発明の実施の形態６について説明する。図１１は、実施の形態６による固定板４１の一部を拡大して示す側面図である。図において、固定板４１の先端部（回転軸３との当接部）は、緩衝材（弾性体；例えばゴム）６０により全体を覆われている。他の構成は実施の形態５と同様である。
【００３７】
上記のような片持ち軸回転電動機では、緩衝材によって固定板の先端部の全体を覆われているので、実施の形態５の片持ち軸回転電動機と同様の効果を得ることができる。
【００３８】
なお、実施の形態５，６の緩衝材５０，６０は、実施の形態４の片持ち軸回転電動機の固定板４１の先端部に設けられていたが、実施の形態１の片持ち軸回転電動機の一対の固定板１１の保持溝１１ａ、実施の形態２の片持ち軸回転電動機の固定板２０の保持溝２０ｅ、又は実施の形態３の片持ち軸回転電動機の固定板３０の保持溝３０ａに設けられていてもよい。
【図面の簡単な説明】
【００３９】
【図１】この発明の実施の形態１による片持ち軸回転電動機を示す断面図である。
【図２】図２は、図１のＩＩ−ＩＩ線に沿う断面図である。
【図３】この発明の実施の形態２による片持ち軸回転電動機の一部を拡大して示す側面図である。
【図４】図３の固定板を示す正面図である。
【図５】図４の固定板の組み合わせ状態を示す正面図である。
【図６】この発明の実施の形態３による片持ち軸回転電動機の一部を拡大して示す側面図である。
【図７】図６のＶＩＩ−ＶＩＩ線に沿う断面図である。
【図８】この発明の実施の形態４による片持ち軸回転電動機の一部を拡大して示す側面図である。
【図９】図８のＩＸ−ＩＸ線に沿う断面図である。
【図１０】この発明の実施の形態５による固定板の一部を拡大して示す側面図である。
【図１１】この発明の実施の形態６による固定板の一部を拡大して示す側面図である。
【符号の説明】
【００４０】
１  電動機本体、２  ケース、３，４０  回転軸、３ａ  軸当接面、５  フランジ、５ｂ  ねじ孔、７  固定子、８  軸受、９  回転子、１０  カップリング（軸継手）、１１，２０，３０，４１  固定板、１１ａ  保持溝、１１ｃ，２０ｆ  保持孔、１２  ボルト（螺着部材）、２０ｅ，３０ａ  保持溝、３１  突出変位部、３４  突出板、４０ａ  嵌合溝、５０，６０  緩衝材。
【図１】
2007325426.tif 000003
【図２】
2007325426.tif 000004
【図３】
2007325426.tif 000005
【図４】
2007325426.tif 000006
【図５】
2007325426.tif 000007
【図６】
2007325426.tif 000008
【図７】
2007325426.tif 000009
【図８】
2007325426.tif 000010
【図９】
2007325426.tif 000011
【図１０】
2007325426.tif 000012
【図１１】
2007325426.tif 000013